(57)【要約】【課題】有機ゲルマニウムを含む浄水器用フィルター及び上記フィルターの製造方法。【解決手段】多孔性吸着剤に有機ゲルマニウムを吸着させて不溶性高分子にコーティングされたことを特徴とする有機ゲルマニウムを含む浄水器用フィルターを開始し、多孔性吸着剤を加熱し、有機ゲルマニウムを蒸留水に溶解させて上記吸着剤と有機ゲルマニウムを混合することで、有機ゲルマニウムを多孔性吸着剤に吸着させる吸着工程と、有機ゲルマニウムが吸着された多孔性吸着剤をエチルセルロースにコーティングするコーティング工程を含むことを特徴とする有機ゲルマニウムとを含む浄水器用フィルターの製造方法を開始する。従って、多孔性吸着剤を加熱して気孔を拡大し、拡大された気孔に有機ゲルマニウムを吸着させて上記有機ゲルマニウムが吸着された多孔性吸着剤を不溶性高分子にコーティングして浄水器用フィルターに用いることで、浄水時に持続的に有機ゲルマニウムが溶出されて有機ゲルマニウムが含まれた水を飲用することができる。【選択図】図１
2008238157.tif 000002
【特許請求の範囲】
【請求項１】
多孔性吸着剤に有機ゲルマニウムを吸着させて不溶性高分子にコーティングされることを特徴とする有機ゲルマニウムを含む浄水器用フィルター。
【請求項２】
前記多孔性吸着剤は、活性炭、ゼオライト、シリカ、活性アルミナ及びピラードクレイのうちいずれか１つが選択されることを特徴とする請求項１に記載の有機ゲルマニウムを含む浄水器用フィルター。
【請求項３】
前記不溶性高分子は、エチルセルロース、硝酸セルロース、酢酸セルロース及びプロピオン酸セルロースのうちいずれか１つが選択されることを特徴とする請求項１または請求項２に記載の有機ゲルマニウムを含む浄水器用フィルター。
【請求項４】
前記多孔性吸着剤の添加量は、５〜１０ｋｇであることを特徴とする請求項１に記載の有機ゲルマニウムを含む浄水器用フィルター。
【請求項５】
前記不溶性高分子の添加量は、１５〜２５ｇであることを特徴とする請求項１に記載の有機ゲルマニウムを含む浄水器用フィルター。
【請求項６】
前記有機ゲルマニウムの添加量は、５〜１０ｇであることを特徴とする請求項１に記載の有機ゲルマニウムを含む浄水器用フィルター。
【請求項７】
(１)多孔性吸着剤を７０〜１５０℃で１〜２時間に加熱する段階と、
(２)有機ゲルマニウムを蒸留水に溶解させる段階と、
(３)(１)段階で加熱された多孔性吸着剤に(２)段階で有機ゲルマニウムが溶解された水を混合する段階及び、
(４)(３)段階で混合した有機ゲルマニウムが溶解された水を２５〜１００℃で１２〜２４時間に乾燥させる段階からなる多孔性吸着剤に有機ゲルマニウムを吸着させる吸着工程と、
(５)エチルアルコールに不溶性高分子を溶解させた後、蒸留水を添加して不溶性高分子コーティング溶液を製造する段階と、
(６)(４)段階で有機ゲルマニウムが吸着された多孔性吸着剤を不溶性高分子コーティング溶液にコーティングする段階及び、
(７)(６)段階でコーティングされた多孔性吸着剤を７０〜８０℃で１２〜２４時間に乾燥させる段階からなるコーティング工程とを含むことを特徴とする有機ゲルマニウムを含む浄水器用フィルターの製造方法。
【請求項８】
前記多孔性吸着剤は、活性炭、ゼオライト、シリカ、活性アルミナ及びピラードクレイのうちいずれか１つが選択されることを特徴とする請求項７に記載の有機ゲルマニウムを含む浄水器用フィルターの製造方法。
【請求項９】
前記不溶性高分子は、エチルセルロース、硝酸セルロース、酢酸セルロース及びプロピオン酸セルロースのうちいずれか１つが選択されることを特徴とする請求項７に記載の有機ゲルマニウムを含む浄水器用フィルターの製造方法。
【請求項１０】
前記多孔性吸着剤の添加量は、５〜１０ｋｇであることを特徴とする請求項７ないし請求項９のいずれかに記載の有機ゲルマニウムを含む浄水器用フィルターの製造方法。
【請求項１１】
前記不溶性高分子の添加量は、１５〜２５ｇであることを特徴とする請求項７ないし請求項９のいずれかに記載の有機ゲルマニウムを含む浄水器用フィルターの製造方法。
【請求項１２】
前記有機ゲルマニウムの添加量は、５〜１０ｇであることを特徴とする請求項７ないし請求項９のいずれかに記載の有機ゲルマニウムを含む浄水器用フィルターの製造方法。
【請求項１３】
前記エチルアルコールの添加量は、５〜１０Ｌであることを特徴とする請求項７ないし請求項９のいずれかに記載の有機ゲルマニウムを含む浄水器用フィルターの製造方法。
【発明の詳細な説明】
【技術分野】
【０００１】
本発明は、有機ゲルマニウムを含む浄水器用フィルター及びそのフィルターの製造方法に関する。
【背景技術】
【０００２】
最近、産業発展速度の急速な増加につれ各種工場設備等から発生される産業廃水等が飲料水源に流入されることから水質が低下されている。通常、各家庭に供給される水道水は、各河川の水系で取水場を介して取水されて貯水場で汚染された水を汚染及び浄水過程を経って上水道管を介して供給しているが、浄水過程で多量の消毒薬品を用いた結果、別途の処理なしに飲む場合に汚臭による問題点が発生する。従って、現在、生水または浄水された水を食用にする傾向が一般化されている。しかし、生水または浄水された水は、微生物に汚染しやすくて異臭を発生する。
【０００３】
従って、上記の問題点を解決するために水槽が合成樹脂材に形成され、微細フィルターによって浄水させる浄水器を用いる。上記のような浄水器は、ミネラル等の人体によい成分をさらに活性化させず、非常に不良な大膓菌除去作用と殺菌作用及び脱臭作用によって健康に悪い影響あたえるという問題があった。
【０００４】
上記のような様々な問題点を解決するために発明されたものとして、登録特許公報１０-０３６０２８３号には竹活性炭濾過層、楢柏活性炭濾過層、松の活性炭濾過層、麦飯石濾過層及びゲルマニウム鉱石濾過層を多段階に積層、または上記材料を一定比率で混合して製作したフィルターを利用した活性浄水器具を開始する。
【０００５】
上記のような浄水器具は、水中有害物質を除去して河川水の第２汚染を防止する長所はあるが、濾過フィルターが多段階に形成されていて各材料を濾過層で処理する工程が要求され、上記のように多段に形成された複数の濾過層を通過して、むしろ水に含有された有益なミネラルも共に濾過される問題がある。
【発明の開示】
【発明が解決しようとする課題】
【０００６】
発明は、従来の問題点を解決するためになされたものであって、その目的は、浄水器で浄水時に有機ゲルマニウムを溶出させるために多孔性吸着剤に有機ゲルマニウムを吸着させて不溶性高分子にコーティングされることを特徴とする有機ゲルマニウムを含む浄水器用フィルターとその浄水器用フィルターの製造方法を提供することにある。
【課題を解決するための手段】
【０００７】
上述の目的を達成するために本発明は、有機ゲルマニウムを含む浄水器用フィルター及びその浄水器用フィルターの製造方法に関する。
【０００８】
より詳しくは、多孔性吸着剤に有機ゲルマニウムを吸着させて不溶性高分子にコーティングされることを特徴とする有機ゲルマニウムを含む浄水器用フィルターを特徴とする。
【０００９】
また、本発明は、(１)多孔性吸着剤を７０〜１５０℃で１〜２時間に加熱する段階と、(２)有機ゲルマニウムを蒸留水に溶解させる段階と、(３)(１)段階で加熱された多孔性吸着剤に(２)段階で有機ゲルマニウムが溶解された水を混合する段階及び、(４)(３)段階で混合した有機ゲルマニウムが溶解された水を２５〜１００℃で１２〜２４時間に乾燥させる段階からなる多孔性吸着剤に有機ゲルマニウムを吸着させる吸着工程と、(５)エチルアルコールに不溶性高分子を溶解させた後に蒸留水を添加して不溶性高分子コーティング溶液を製造する段階と、(６)(４)段階で有機ゲルマニウムが吸着された多孔性吸着剤を不溶性高分子コーティング溶液にコーティングする段階及び、(７)(６)段階でコーティングされた多孔性吸着剤を７０〜８０℃で１２〜２４時間に乾燥させる段階からなるコーティング工程とを含むことを特徴とする有機ゲルマニウムを含む浄水器用フィルターの製造方法を特徴とする。
【００１０】
また、本発明は上記多孔性吸着剤として、活性炭、シリカ、活性アルミナ、ゼオライト及びピラードクレイのうちいずれか１つが選択されることを特徴とする。
【００１１】
また、本発明は上記不溶性高分子として、エチルセルロース、窒酸セルロース、酢酸セルロース及びプロピオン酸セルロースのうちいずれか１つが選択されることを特徴とする。
【００１２】
また、本発明は上記不溶性高分子の添加量が１５〜２５ｇであることを特徴とする。 
【００１３】
また、本発明は上記多孔性吸着剤の添加量が５〜１０ｋｇであることを特徴とする。
【００１４】
また、本発明は上記有機ゲルマニウムの添加量が５〜１０ｇであることを特徴とする。
【００１５】
また、本発明は上記エチルアルコールの添加量が５〜１０Ｌであることを特徴とする。
【発明の効果】
【００１６】
本発明によれば、多孔性吸着剤を加熱して気孔を拡大して拡大された気孔に有機ゲルマニウムを吸着させて有機ゲルマニウムが吸着された吸着剤をエチルセルロースでコーティングして浄水器のフィルターに用いることで、浄水時に持続に有機ゲルマニウムが溶出されて有機ゲルマニウムが含まれた水を日常で飲用することができる。 
【発明を実施するための最良の形態】
【００１７】
以下、本発明についてより詳しく説明する。
【００１８】
本発明は、多孔性吸着剤を７０〜１５０℃で１〜２時間に加熱することで、活性炭の気孔を拡張して有機ゲルマニウムの吸着を容易にすることは、活性炭に有機ゲルマニウムを常温で吸着させる時より、加熱して有機ゲルマニウムを吸着させる時が初期の 有機ゲルマニウム溶出量を減少させて浄水時に有機ゲルマニウムが持続に溶出させることに好ましいのである。
【００１９】
上記多孔性吸着剤に有機ゲルマニウムを吸着させるために固体状の有機ゲルマニウムを液状に製造するために蒸留水５ないし１５Ｌに溶解させる。
【００２０】
本発明は、多孔性吸着剤と有機ゲルマニウムの混合液を２５〜１００℃で１２〜２４時間に乾燥させるが、このような段階は多孔性吸着剤に吸着された有機ゲルマニウムを安定化させて水分を除去するために行う。好ましくは、７０℃で乾燥することであるが、これは乾燥時間を短縮させて多孔性吸着剤を１１０℃で加熱して拡張された吸着剤の気孔を縮小させるために好ましい。
【００２１】
本発明は、不溶性高分子コーティング溶液を製造時にエチルアルコールとエチルセルロースと蒸留水を添加するが、この時、エチルアルコールの添加量は５〜１０Ｌであり、不溶性高分子の添加量は１５〜２５ｇであり、蒸留水の添加量は１〜８Ｌである。
【００２２】
本発明は、有機ゲルマニウムを吸着させた多孔性吸着剤とエチルセルロースの混合液でアルコールを除去するために７０〜８０℃で１２〜２４時間に加熱する。好ましくは、６０℃で加熱することであり、これはエチルセルロースにコーティングされた有機ゲルマニウムが吸着された多孔性吸着剤をフィルターとして用いるために完全に乾燥させる段階で過度な温度を維持する場合、アルコールの発火が発生されることができ、常温で加熱して乾燥する場合は乾燥時間が長くなる工程上の短所があることで、６０℃で加熱して乾燥することがよいと確認した。
【００２３】
以下、本発明の実施例についてより詳しく説明する。
【実施例１】
【００２４】
活性炭７ｋｇを１１０℃で１時間３０分を加熱して上記活性炭の気孔を拡張させて有機ゲルマニウム７ｇを蒸留水１１Ｌに溶解させた。加熱された活性炭に有機ゲルマニウムが溶解された水１１Ｌを混合した。上記混合した有機ゲルマニウムが溶解された水を７０℃で２４時間に乾燥させて活性炭の拡張された気孔に吸着させた。
【００２５】
（比較例１）
上記実施例において、活性炭を１１０℃で加熱せず、常温で有機ゲルマニウムを吸着させることを除いては、実施例１と同一に行った。
【００２６】
（実験例１）
上記実施例１及び比較例１で実施されたそれぞれの有機ゲルマニウムが吸着された活性炭７０ｇを家庭用浄水器のフィルターに充填後に蒸留水をそれぞれ１Ｌ、２０Ｌ、１００Ｌ、３００Ｌ、５００Ｌ、１０００Ｌ及び１５００Ｌを通過させて有機ゲルマニウムの溶出量を比較した。
【００２７】
上記実験例１による有機ゲルマニウム溶出量を以下の表１に示す。
【００２８】
【表１】
2008238157.tif 000003
【００２９】
上記表１に示すように、本発明による実施例１では、浄水器で浄水時に蒸留水１Ｌを活性炭を１１０℃で加熱して有機ゲルマニウムを吸着させたフィルターを介して通過させた場合が常温で有機ゲルマニウムを吸着させた場合より有機ゲルマニウム溶出量が少なく溶出されたが、フィルターの通過量が多くなるほど有機ゲルマニウムの溶出量が増加した。
【００３０】
上記のような結果は、常温で多孔性吸着剤に有機ゲルマニウムを吸着させることよりは高温、即ち、１１０℃で多孔性吸着剤を加熱して気孔を拡大させて有機ゲルマニウムが多孔性吸着剤の拡大された気孔の中に吸着されるためであることに類推できた。
【００３１】
（実施例２）
活性炭７ｋｇを１１０℃で１時間３０分を加熱して上記活性炭の気孔を拡張させて有機ゲルマニウム７ｇを蒸留水１１Ｌに溶解させた。また、加熱された活性炭に有機ゲルマニウムが溶解された水１１Ｌを混合した。上記混合した有機ゲルマニウムが溶解された水を７０℃で２４時間に乾燥させて活性炭の拡張された気孔に吸着させた。エチルアルコール８．５Ｌにエチルセルロース２１ｇを溶解させた後、蒸留水４．５Ｌを添加してエチルセルロースコーティング溶液１３Ｌを製造した。上記有機ゲルマニウムが吸着された活性炭にエチルセルロースコーティング溶液１１Ｌをコーティングして７５℃で２０時間に乾燥させた。
【００３２】
（比較例２）
上記実施例２において、エチルセルロース７ｇを用いることを除いて実施例と同一に行った。
【００３３】
（比較例３）
上記実施例２において、エチルセルロース３５ｇを用いることを除いて実施例２と同一に行った。
【００３４】
（実験例２）
上記実施例２、比較例２及び比較例３で製造した有機ゲルマニウムが吸着された活性炭１５ｇをフィルターに充填後にそれぞれの蒸留水１Ｌ、２０Ｌ及び１０００Ｌをフィルターに通過させた時の有機ゲルマニウムの溶出量を測定した。
【００３５】
上記実験例２による有機ゲルマニウム溶出量を以下の表２に示す。
【００３６】
【表２】
2008238157.tif 000004
【００３７】
上記表２に示すように、本発明による実施例２において、有機ゲルマニウムが吸着された多孔性吸着剤をコーティングするコーティング剤として、エチルセルロース７ｇを用いた比較例２は、蒸留水１Ｌを通過させた時に有機ゲルマニウム溶出量が１２２９ｐｐｂに有機ゲルマニウムが多量溶出され、１０００Ｌを通過させた時に有機ゲルマニウムの溶出量が急激に減少された。これに反して、エチルセルロース３５ｇを用いた比較例３は、蒸留水１Ｌを通過させた時に有機ゲルマニウム溶出量が２３４ｐｐｂに少なく溶出されたが、蒸留水１０００Ｌを通過させた時に有機ゲルマニウム溶出量が１．８０ｐｐｂで非常に少なく溶出されることを現わしてコーティング層が厚ければ有機ゲルマニウムが持続的に溶出されにくいことを類推することができた。
【００３８】
従って、本発明による実施例２の有機ゲルマニウム溶出量は、蒸留水１０００Ｌを通過させた場合にも比較例２及び３に比べて有機ゲルマニウムの溶出量が持続に維持されることを示した。
【００３９】
本発明者は、有機ゲルマニウムを吸着させた多孔性吸着剤をエチルセルロースでコーティングしたフィルターを用いた家庭用浄水器を通過した水が韓国で規定している食水の水質検査に適合可否を判定するため、現在、韓国で規定し、それぞれの一般細菌(Ｔｏｔａｌ ｃｏｌｏｎｙ ｃｏｕｎｔｓ)、総大腸菌群(Ｔｏｔａｌ Ｃｏｌｉｆｏｒｍｓ)、大便連鎖球菌群(Ｆｅｒｃａｌ Ｓｔｒｅｐｔｏｃｏｃｃｕｓ)、緑膿菌(Ｐｓｅｕｄｏｍｏｎａｓ ａｅｒｕｇｉｎｏｓａ)、サルモネラ(Ｓａｌｍｏｎｅｌｌａ ＴｙｐＨｉ)、シゲラ(Ｓｈｉｇｅｌｌａ)、亜黄酸還元塩基性胞子形成菌(Ｓｐｏｒｅ Ｆｏｒｍｉｎｇ Ｓｕｌｆｉｔｅ Ｒｅｄｕｃｉｎｇ Ａｎａｅｒｏｂｅｓ)及びエルシニア菌(Ｙｅｒｓｉｎｉａ)の菌数に適合であるかどうかを以下の実験例１ないし１０を介して立証しようとする。
【００４０】
（実験例１:一般細菌(Ｔｏｔａｌ ｃｏｌｏｎｙ ｃｏｕｎｔｓ)）
１．標準寒天培地
水１．０Ｌにトリプトン５．０ｇ、酵母エキス２．５ｇ、葡萄糖１．０ｇ及び寒天１５．０ｇを入れて加熱して溶解した後、ｐＨが７．０±０．２になるように調整した後に１０〜１２ｍｌずつ試験管に分け入れて１２１℃で１５分間に高圧蒸気滅菌した。
【００４１】
２．リン酸緩衝希釈液
リン酸２水素カリウム３４ｇを５００ｍｌの水に溶解した後に水酸化ナトリウム溶液(０．５Ｎ)で室温でｐＨを７．２±０．２に調整した後に水を入れて１Ｌになるようにし、これを保存用原液にする。この保存用原液１．２５ｍｌと塩化マグネシウム(６水塩)８１．１ｇを水１Ｌに溶解して作った塩化マグネシウム溶液５．０ｍｌを入れた後に水で１Ｌになるようにしてリン酸緩衝希釈液を作る。リン酸緩衝希釈液は、９９±２ｍｌになるように螺旋式栓がある希釈ビンや試験管に分けて１２１℃で１５分間に高圧蒸気滅菌した。
【００４２】
３．器具及び装置
ピペットまたは自動ピペット(用量１〜５ｍｌのメスピペットや自動ピペット(プラスチックチップ含む)に滅菌されたことを用い)、ペトリ皿(直径約９ｃｍ、高さ約１．５ｃｍのガラス製品(６５ｃｍ２)または１回用プラスチック製品(５７ｃｍ２)に滅菌されたことを用いる)、恒温水浴槽(水温を４５±０．５℃に維持することができることを用いる)、培養器(培養温度を２１±１．０℃に維持することができることを用いる)、コロニーカウンタ(拡大鏡と照明装置が付着されてコロニーをカウンタし容易にペトリ皿をおく板に１ｃｍ２に区画されていることを用いる)
【００４３】
４．試験方法
ア．検液の調剤と試験
本発明によるフィルターを用いる浄水器から浄水した水(以下、"検水"と称する)を４℃以下で凍らないように冷蔵保管しなければならなく、この場合でも１２時間以内に分析をスタートしなければならない。１２時間以内に分析をスタートできない場合には、浄水の一般細菌は実験しない。
【００４４】
イ．検水をリン酸緩衝希釈液またはペプトン希釈液を用いて１０段階の希釈法で好適な濃度(１ｍｌ当たり細菌数が３０〜３００個に推定できる濃度)に希釈して各段階希釈液１ｍｌずつを滅菌された各ペトリ皿２枚以上に入れる。
【００４５】
ウ．あらかじめ滅菌させて４５±０．５℃に維持させたＲ２Ａ培地１０〜１２ｍｌずつをそれぞれ検液が入っているペトリ皿に無菌的に分け入れて培地と検水がよく混合するように左右に回転する。
【００４６】
エ．培地が凝固されば、２１±１．０℃で７２±３時間に培養して形成されたコロニーの数を計算する。
【００４７】
オ．対照群試験にて滅菌された希釈液を上記方法と同一に実験して対照群にする。
【００４８】
カ．検水の希釈操作から平板用培地をペトリ皿に分け入れるまでの操作時間は２０分を超過してはいけない。
【００４９】
５．細菌コロニー数の計算
ア．培養後にすぐにコロニーカウンタを利用して拡散コロニーがなく、１平板当たり３０〜３００個のコロニーを形成した平板を選択してコロニーを計数することを原則にする。
【００５０】
イ．平板ごとに３００個以上のコロニーが形成された時には、一番代表的な平板を選択して密集平板測定法によってコロニー数を計算する。計算方法は、内直系９ｃｍのガラスペトリ皿を用いる場合には、１ｃｍ２内のコロニー数を１３箇所に計数して平均のコロニー数に６５をかけ、１回用プラスチックペトリ皿を用いる場合には５７をかける。
【００５１】
ウ．平板ごとに３０個以下のコロニーが形成された時には、原液を接種した平板のコロニーを計数して平均し、記載は必ずｍｌのうちいくつＣＦＵ(Ｃｏｌｏｎｙ Ｆｏｒｍｉｎｇ Ｕｎｉｔ)という。
【００５２】
エ．３０〜３００個のコロニーを有する平板がなく、３００個以上のコロニーを有する平板が１個以上に存在する場合、３００個に一番近い平板のコロニーを計数する。
【００５３】
オ．計算方法は、該当の希釈倍数に用いられた各平板内のコロニー数を測定して合わせた後に用いた平板数に分けて平板当たりに平均コロニー数を出し、ここに該当の希釈倍数をかけた数値を低温一般細菌数にし、ｍｌうちいくつＣＦＵと記載する。すべての計数過程において、低温一般細菌数が１００以上の時に高単位数字から３段階以下は、四捨五入して有効数字を２段階に切ってその以下を０にした数値を１ｍｌのうち一般細菌数にし、一般細菌数が１００未満時には小数点以下は捨てた数値を１ｍｌのうち一般細菌数に記載する。
【００５４】
（実験例２:総大腸菌(Ｔｏｔａｌ Ｃｏｌｉｆｏｒｍｓ)）
１．２排膿後の乳糖培地(推定試験用培地)
水１Ｌに牛肉エキス６．０ｇ、ペプトン１０．０ｇ及び乳糖１０．０ｇを入れて加熱して溶解した後、ｐＨが６．９±０．２になるように調整した後にダラム試験管が入っている中試験管に１０ｍｌずつ分け入れて１２１℃で１５分間を高圧蒸気滅菌した。
【００５５】
２．ＢＧＬＢ(Ｂｒｉｌｌｉａｎｔ Ｇｒｅｅｎ Ｌａｃｔｏｓｅ Ｂｉｌｅ)培地(確定試験用培地)
水１Ｌに牛胆汁２０．０ｇ、ペプトン１０．０ｇ、乳糖１０．０ｇ及びブリリアントグリン０．０１３３ｇを入れて加熱して溶解した後、ｐＨが７．２±０．２になるように調整した後にダラム試験管が入っている小試験管に１０ｍｌずつ分け入れて１２１℃で１５分間を高圧蒸気滅菌する。
【００５６】
３．器具及び装置
ピペット(用量５〜１０ｍｌのメスピペットや自動ピペットとして滅菌されたことを用いる)、試験管(小試験管(内径１６ｍｍ、高さ１５０ｍｍ)及び中試験管(内径１８ｍｍ、高さ１８０ｍｍ)の２種類の試験管に綿(プラスチックや金属栓も使用可能)で栓をすることができ、高圧蒸気で滅菌できることがよい。)、ダラム試験管(ダラム試験管(内径６ｍｍ、高さ３０ｍｍ)で高圧蒸気滅菌できることがよい。)、白金ループ(輪の内直径が約３ｍｍである白金ループを用いる)及び培養器(培養温度を３５±０．５ ℃に維持できることを用いる。)
【００５７】
４．試験
(１)推定試験
ア．飲水に対する推定試験は、２倍濃厚の乳糖培地またはラウリルトリブトス培地が１０ｍｌずつ入っている中試験管(ダラム試験管が入っている試験管)１０個に検水１０ｍｌずつを接種して３５±０．５℃で２４±２時間に培養した後、ガスが発生すれば、推定試験陽性から判定して確定試験を実施する(３倍濃厚培地１０ ｍｌが入っている大試験管５個に検水２０ｍｌを接種することもできる)。
【００５８】
イ．培養２４±２時間の経過後、いずれの試験管にもガスが発生しなければ、同様な条件で４８±３時間まで培養してもガス発生がない時には推定試験を陰性に判定し、１つ以上の試験管からガスの発生が観察された時には確定試験を実施する。
【００５９】
(２)確定試験
ア．推定試験からガスが発生した時には、ガスが発生したすべての試験管から培養液を１白金ループずつ取ってＢＧＬＢ培地が１０ｍｌ入っている試験管(ダラム試験管が入っている試験管)にそれぞれ接種させて３５±０．５℃で４８±３時間に培養する。
【００６０】
イ．この時、ガスが発生しない場合には、総大腸菌群の確定試験を陰性に判定し、ガス発生が観察された場合には総大腸菌群を陽性に判定する。
【００６１】
（実験例３: 大便連鎖球菌群(Ｆｅｃａｌ Ｓｔｒｅｐｔｏｃｏｃｃｕｓ)）
１．３倍濃厚アジド葡萄糖培地(推定試験用培地)
水１Ｌに牛肉エキス１３．５ｇ、トリプトン４５．０ｇ、葡萄糖２２．５ｇ、塩化ナトリウム２２．５ｇ及びアジドナトリウム０．６ｇを入れて加熱して溶解した後に室温でｐＨが７．２±０．２になるように調整した後、大試験管に２５ｍｌずつ分け入れて１２１℃で１５分間を高圧蒸気滅菌する。
【００６２】
２．ファイザー腸球菌選択寒天培地(確定試験用培地)
水１ＬにペプトンＣ１７．０ｇ、ペントンＢ３．０ｇ、酵母エキス５．０ｇ、細菌学的胆汁粉末１０．０ｇ、塩化ナトリウム５．０ｇ、クエン酸ナトリウム１．０ｇ、エスクリン１．０ｇ、クエン酸アンモニウム第２鉄０．５ｇ、アジドナトリウム０．２５ｇ及び寒天１５．０ｇを入れて加熱して溶解して室温でｐＨが７．１±０．２になるように調整した後に１２１℃で１５分間を高圧蒸気滅菌した後、５０〜５５℃まで冷やした後に滅菌されたペトリ皿に約１５ｍｌずつ無菌的に分け入れて固めて平板培地を調剤する。 
【００６３】
３．器具及び装置
器具及び装置は、大膓菌群試験と同一なものを用いる。
【００６４】
４．試験
(１)推定試験
検水５０ｍｌずつを５個の３倍濃厚アジド葡萄糖培地が２５ｍｌずつ入っている大試験管に接種させた後、３５±０．５℃で２４±２時間に培養して混濁が観察されない場合は４８±３時間まで延長して培養する。培養後、培地の混濁有無を観察する。いずれの試験管も培地が薄くないことは推定試験を陰性にし、１つ以上の試験管で薄いことを確認することができることは細菌の増殖、試料の混入によるいずれでもかかわらず推定試験を陽性に判定し、次の確定試験を行う。
【００６５】
(２)確定試験
推定試験で薄いことを確認したすべての試験管から１白金ループずつを取ってそれぞれファイザー腸球菌選択寒天培地に画線移植して３５±０．５℃で２４±２時間に培養する。培養後、コロニーを観察するが、茶色のわくがある黒茶色のコロニーが形成された場合は確定試験を陽性に、即ち大便連鎖球菌陽性に判定して典型的なコロニーが観察されない場合は確定試験を陰性に判定する。
【００６６】
（実験例４:緑膿菌(ｐｓｅｕｄｏｍｏｎａｓ ａｅｒｕｇｉｎｏｓａ)）
１．３倍濃厚アスパラギン培地(推定試験用培地)
水１ＬにアスパラギンＤＬ９．０ｇ、リン酸１水素カリウム３．０ｇ及び硫酸マグネシウム(７水塩)１．５ｇを入れて加熱溶解して室温でｐＨが７．０±０．２になるように調整した後、大試験管に２５ｍｌずつ分け入れて１２１℃で１５分間を高圧蒸気滅菌する。
【００６７】
２．アセトアミド培地(確定試験用培地)
水１Ｌにアセトアミド１０．０ｇ、塩化ナトリウム５．０ｇ、リン酸１水素カリウム１．３９ｇ、リン酸２水素カリウム０．７３ｇ、硫酸マグネシウム(７水塩)０．５ｇ及びフェノールレッド０．０１２ｇを入れて加熱溶解して室温でｐＨが７．０±０．２になるように調整した後、小試験管に１０ｍｌずつ分け入れて１２１℃で１５分間を高圧蒸気滅菌する。
【００６８】
３．Ｔｒｙｐｔｉｃ Ｓｏｙ増菌培地
水１Ｌにカゼイン膵膓液分解産物１７．０ｇ、大豆粉末パパイン分解産物３．０ｇ、塩化ナトリウム５．０ｇ、リン酸２カリウム２．５ｇ及び葡萄糖２．５ｇを入れて完全に溶解する。１２１℃で１５分間を高圧蒸気滅菌した後に滅菌されたペトリ皿に約１５ｍｌずつ無菌的に分株した後に固める。
【００６９】
４．器具及び装置
大膓菌群試験と同一なものを用いて、この以外にも紫外線ランプ(長波長３６５ｎｍの照射)、紫外線防護メガネが要する。
【００７０】
５．試験方法
(１)推定試験
検水５０ｍｌずつを３倍濃厚アスパラギン培地が２５ｍｌずつ入っている試験管５個にそれぞれ接種する。検水を接種したアスパラギン培地は、３５±０．５ ℃で２４±２時間の培養後に暗室で紫外線防護メガネをかけて、紫外線ランプで長波長の紫外線(３６５ｎｍ近所)を照射して緑を帯びる蛍光の有無を観察し、蛍光が発生した場合は推定試験を陽性にする。但し、明確な蛍光が確認されない場合は、培養をさらに持続して４８±３時間まで観察する。この時、試験管で緑蛍光が確認されないことは、緑膿菌陰性に認める。試験管で緑蛍光が認知される場合は、推定試験陽性として、緑膿菌の存在可否を確認するために次の確定試験を続いて実施する。
【００７１】
(２)確定試験
推定試験から緑を帯びる蛍光を確認したすべての試験管ですぐ白金ループを用いて陽性培地の上層部から３回(約０．１ｍｌ)を取ってそれぞれのアセトアミド培地の斜面にめいめいに移植して３５±０．５℃で２４〜３６時間に培養する。培養後、培地に著しい色の変化のない場合は、緑膿菌陰性にする。しかし、１個の試験管でも赤紫色を示すことは、確定試験陽性に判定する。
【００７２】
(３)確認試験
確定陽性コロニーを純粋に分離した後、Ｔｒｙｐｔｉｃ Ｓｏｙ増菌培地あるいは類似培地で４１．５±０．５℃で４８時間を培養して成長可否を観察する。成長しないコロニーは、緑膿菌陰性に判定し、成長したコロニーはグラム陰性桿菌であることをグラム染色後に顕微鏡観察で確認した後、ＡＰＩ２０ＮＥのような常用化された同定試験Ｋｉｔを用いて同定したり、下述の生化学的特徴を検査する。生化学的確認試験で緑膿菌に同定される場合には緑膿菌陽性に判定する。
【００７３】
（実験例５:亜黄酸還元塩基性胞子形成菌(Ｓｐｏｒｅ Ｆｏｒｍｉｎｇ Ｓｕｌｆｉｔｅ Ｒｅｄｕｃｉｎｇ Ａｎａｅｒｏｂｅｓ)）
１．２倍濃厚ＤＲＣＭ培地
水１Ｌに酵母エキス６．０ｇ、牛肉エキス２０．０ｇ、トリブトケイス２０．０ｇ、葡萄糖１０．０ｇ、塩化ナトリウム１０．０ｇ、可溶性澱粉２．０ｇ、システイン(塩酸塩)１．０ｇ、酢酸ナトリウム６．０ｇ及び寒天０．５ｇを入れて加熱溶解して室温でｐＨが６．８±０．２になるように調整した後、螺旋式栓のある中試験管に１０ｍｌずつ分株して１２１℃で１５分間を高圧蒸気滅菌する。実験時には、それぞれの試験管に濾過滅菌した４％のクエン酸第２鉄と７％の亜黄酸ナトリウムを同一量に混合した液をそれぞれ０．４ｍｌを入れる。
【００７４】
２．器具及び装置
器具及び装置は、大膓菌群試験と同一なものを用いて、追加に恒温水浴槽(水温を７５±１．０℃に維持できることを用いる。)を要する。
【００７５】
３．試験方法
(１)アポ形成試験
検水１０ｍｌずつを５個の螺旋式栓のある試験管に無菌的に入れた後に水温を７５±１．０℃に維持した恒温水浴槽に１０分間を定置をする。この時、胞子を形成することができない菌は全部死滅し、胞子を形成することができる細菌のみ生きるようになる。
【００７６】
(２)培養及び亜黄酸還元力試験
７５±１．０℃の恒温水浴槽で１０分間に定置させた５個の螺旋式栓のある試験管を直ちに２０℃前後に冷却した後、あらかじめ準備した２倍濃厚ＤＲＣＭ培地をそれぞれ１０ｍｌずつ入れる。そして、気泡が生じないように検水と培地を混合した後にあらかじめ滅菌した液体パラフィンを２〜３ｍｌずつ無菌的に培地表面に入れて栓を堅たく封止する。また、３５±０．５℃で４８±３時間培養する。培養後、培地が黒くなったら、亜黄酸が還元されたこととして亜黄酸還元嫌気性胞子形成菌の陽性に判定し、５個の試験管のうち１個でも陽性の場合には検出されたことと判定する。
【００７７】
（実験例６:サルモネラ(Ｓａｌｍｏｎｅｌｌａ ＴｙｐＨｉ)）
１．３倍濃厚セレナイト液体増菌配
１Ｌの水にトリプトン１５．０ｇ、乳糖１２．０ｇ、セレナイト１２．０ｇ及びリン酸ナトリウム３０．０ｇを溶解して沸かずに６０〜７０℃で加熱溶解した後、滅菌された大試験管に２５ｍｌずつ無菌的に入れて冷やす。調剤された培地は、２〜８℃に保管する。
【００７８】
２．ビズマス亜硫酸選択培地−推定試験用
１Ｌにペプトン１０．０ｇ、牛肉エキス５．０ｇ、葡萄糖５．０ｇ、リン酸１水素ナトリウム４．０ｇ、硫酸第１鉄０．３ｇ、ビスムス亜硫酸塩８．０ｇ、ブリリアントグリーン０．０２５ｇ及び寒天２０．０ｇを入れて加熱溶解した後、５０〜５５℃まで冷やして滅菌されたペトリ皿に分株して固体化する。加熱時、沸く状態が１〜２分以上を持続しないようにする。調剤された培地は、２〜８℃で保管して４日以上は保存しない。
【００７９】
３．器具及び装置は、大膓菌群試験と同一なものを用いて追加に冷蔵庫(２〜５℃)、光学顕微鏡、ガスバーナー、アルコールランプ及びスライドガラスを要する。
【００８０】
４．試験
(１)推定試験
検水５０ｍｌずつを３倍濃厚セレナイト増菌培地が２５ｍｌずつ入っている試験管５個に接種する。検水を接種したセレナイト培地は、３７℃で１８〜２４時間を培養する。培養時間が延長されると、大膓菌など他の菌が成長するので、培養時間を厳守する。白金ループを利用してすべての試験管から増菌培地培養液を取ってビズマス寒天選択培地に画線接種する。３５℃で２４時間を培養した後にコロニーを観察し、また培養して４８時間後に再観察して端に白い輪をかけた黒くてきらめくコロニーをサルモネラ陽性に推定する。典型的な陽性コロニーがなく、緑色のコロニーが生成された場合もコロニーを取って確認試験する。
【００８１】
(２)確認試験
ア．生化学的確認試験:推定試験で陽性に判定されたコロニーを純粋分離して選択培地に植え替る。グラム染色後に顕微鏡観察でグラム陰性、桿菌であることを確認し、ＡＰＩ２０Ｅ Ｋｉｔを用いる。生化学的確認試験でサルモネラの中に同定されば、サルモネラ菌陽性に判定する。本実験は、陽性判定で本実験を終了し、もし病原性及び易学に対する情報を得ようとしたら、より詳しい種及び血清型の同定を血清学的な試験を介して行うようにする。
【００８２】
イ．血清学的試験:生化学的試験でサルモネラに同定された菌は、サルモネラ０抗血清に該当するＡ、Ｂ、Ｃ、Ｄ、Ｅグループの抗血清反応を見てグループを決定し、そのグループに属する単一要素抗血清で試験する。Ｖｉ抗血清にだけ凝集のある場合は、サルモネラチフスではないか確認し、菌浮遊液を１００℃で沸かしてＶｉ抗原を破壊した後に０抗血清凝集を見てグループを決定する。Ｈ抗血清で鞭毛抗原Ｐｈａｓｅ I、IIを試験した後に０抗原、鞭毛抗原を総合してサルモネラ菌種を確定する。追加に、ここでより詳細にサルモネラ種、即ち、種(ｓｐｅｃｉｅｓ)や抗原型(ｓｅｒｏｔｙｐｅ)を確認しようとしたら、国立保健院サルモネラセンターに依頼すれば最終同定が確認される。本発明では、サルモネラ菌種が韓国の飲水細菌数に適合であるかどうかの可否のみを判定する。
【００８３】
（実験例７:シゲラ(Ｓｈｉｇｅｌｌａ)）
１．３倍濃厚セレナイト液体増菌培地は、サルモネラ増菌培地と同一に製造する。
【００８４】
２．ＸＬＤ(Ｘｙｌｏｓｅ Ｌｙｓｉｎｅ Ｄｅｏｘｙｃｈｏｌａｔｅ))寒天選択培地(推定試験用)
１Ｌの水に酵母エキス３．０ｇ、Ｌ-ｌｙｓｉｎｅ５．０ｇ、キシロース３．７５ｇ、乳糖７．５ｇ、蔗糖７．５ｇ、デスオキシコール酸ナトリウム２．５ｇ、クエン酸剤２鉄アンモニウム０．８ｇ、チオ硫酸ナトリウム６．８ｇ、塩化ナトリウム５．０ｇ、寒天１５．０ｇ及びフェノールレッド０．０８ｇを入れて完全に溶解するまで加熱する。５５〜６０℃まで冷やした後に滅菌されたペトリ皿に分株して固体化させる。調剤された培地は、２〜８℃で保管する。
【００８５】
３．器具及び装置は、サルモネラ菌実験法と同一なものを用いる。
【００８６】
４．試験
(１)推定試験の増菌増菌過程は、サルモネラと同一である。培養された増菌培地を白金ループで取ってＸＬＤ寒天選択培地にサルモネラと同様な方式で画線接種した後に３５℃で２４時間に培養して赤色コロニーが形成されば、シゲラ推定試験の陽性に判定する。
【００８７】
(２)確認試験
ア．生化学的確認試験:サルモネラの確認試験と同一に試験する。
【００８８】
イ．血清学的試験: 生化学的確認試験からシゲラに同定された菌株の種を知ろうとする場合は、シゲラ０抗血清凝集反応試験をする。
【００８９】
（実験例８:エルシニア(Ｙｅｒｓｉｎｉａ)）
１．ＣＩＮ寒天培地
エルシ二ア選択寒天基本培地の構成成分は、酵母エキス２ｇ、ペプトン１７ｇ、プロトオースペプトン３ｇ、マンニトール２０ｇ、デオキシコール酸ナトリウム０．５ｇ、塩素酸ナトリウム０．５ｇ、塩化ナトリウム１ｇ、ピルビン酸ナトリウム２ｇ、硫酸マグネシウム(６水塩)１０ｍｇ、寒天１３．５ｇ、ニュートラルレッド３０ｍｇ、クリスタルバイオレット１ｍｇ、イルガサン(ｉｒｇａｓａｎ)４ｍｇ及び水１Ｌで構成される。
【００９０】
ＣＩＮエルシ二ア抗微生物補充液の構成成分は、セフスロジン(ｃｅｆｓｕｌｏｄｉｎ)４ｍｇ、ノボビオシン(ｎｏｖｏｂｉｏｃｉｎ)２．５ｍｇ及び水１０ｍｌである。エルシ二ア選択寒天基本培地を１２１℃で１５分間に高圧滅菌した後に４５〜５０℃に冷やしてＣＮエルシ二ア抗微生物補充液を添加する。
【００９１】
２．マッコンキー寒天培地
ペプトン１７ｇ、プロテオースペプトン３ｇ、乳糖１０ｇ、胆汁塩Ｎｏ．３１．５ｇ、塩化ナトリウム５ｇ、寒天１３．５ｇ、ニュートラルレッド０．０３ｇ、クリスタルバイオレット０．００１ｇ及び水１Ｌ(最終ｐＨ(２５℃)７．１±０．２)
【００９２】
３．ｍＭＣ培地
上記のマッコンキー寒天ベースにＤ-ソルビトル１０ｇ/Ｌ、イルガ酸４．０ｍｇ/Ｌ及びノボビオシン２．５ｍｇ/Ｌを添加する。
【００９３】
４．０．２８８％水酸化カリウム溶液
塩化ナトリウム８．５ｇ、水酸化カリウム２．８８ｇ及び水１Ｌを混合する。
【００９４】
５．器具及び装置
濾過膜(孔径０．４５μｍ、直径４７ｍｍの大きさの微生物分析用濾過膜として、膜の一面に格子が描かれた滅菌されたものを用いる。)、濾過装置(濾過膜を挟んで濾過できるようにする装置として、高圧蒸気滅菌可能なものを用いる。)、円型吸収パッド(厚い余地やスポンジまたはガラス繊維濾過膜として、直径４７ｍｍの大きさの円型パッドを滅菌して用いる。)、ペトリ皿(直径約５．５ｃｍ、高さ約１．２ｃｍの小型製品(２４ｃｍ２)に滅菌されたものを用いる。)、ピンセット(先が鈍く広くて濾過膜を取る時に濾過膜を物理的に損傷させない形態のものとして、火炎滅菌可能なものを用いる。)
【００９５】
６．試験
ア。推定試験
検水２Ｌを滅菌容器を用いて採取した後、直ちに試験する。直ちに試験することができない場合は、冷蔵保管状態に運んで早速な時間内に試験する。採取した検水１Ｌは、滅菌された濾過装置を利用して滅菌状態の濾過紙(ｍｅｍｂｒａｎｅ ｆｉｌｔｅｒ、０．２２μｍ ｐｏｒｅ ｓｉｚｅ))を通過させた後に連続に０．２８８％の水酸化カリウム溶液２０〜３０ｍｌを２０秒内に完全に濾過させた後、この濾過紙をＣＩＮ培地にそのまま乗せて２５〜２８℃で４８時間を培養する。残り１Ｌは、同一な過程を経ってマッコンキー培地(或いはｍＭＣ培地)で培養する。ＣＩＮ培地では、粘液性がなくて中心部が濃い赤色を帯びる小さなコロニーを、マッコンキー培地(或いはｍＭＣ)では、赤色あるいは粘液性コロニーは避けて小さく(直径１〜２ｍｍ)、平らな無色あるいは薄いピンクのコロニーを取って脳心臓融合培地(Ｂｒａｉｎ Ｈｅａｒｔ Ｉｎｆｕｓｉｏｎ Ａｇａｒ)に移す。 
【００９６】
イ．予備同定の時
ＴＳＩ培地、要素培地、運動性培地に接種して予備実験をする。予備実験で、エルシ二ア菌の特性を有しないコロニーはエルシ二ア菌陰性に判定し、エルシ二ア菌の特性を有した分離コロニーはグラム染色時に陰性であることを確認した後、生化学的確認同定試験をする。ＴＳＩ培地で、３７℃、２４時間を培養時にＹ．ｅｎｔｅｒｏｃｏｌｉｔｉｃａは蔗糖を分解して底面と斜面が黄変し、Ｙ．ｐｓｅｕｄｏｔｕｂｅｒｃｕｌｏｓｉｓは斜面は黄変して底面が黄変せず、赤色に残る。ガス及び硫化水素は発生しない。要素培地では、陽性に赤色を現わし、運動性試験は２つの運動性培地に接種してそれぞれ３７℃と２５℃に別に培養して３７℃では運動性がなく、２５℃では運動性を現わす。
【００９７】
ウ．確認同定試験
生化学同定試験は、ＡＰＩ ２０Ｅ Ｋｉｔを用いる。
【００９８】
上記実験例１ないし８において、実験した本発明による有機ゲルマニウムが吸着された多孔性吸着剤をフィルターに用いた浄水器を通過した浄水器水が韓国の飲水基準に適合であるかどうかの可否を以下の表３に示す。
【００９９】
【表３】
2008238157.tif 000005
【０１００】
上記表３に示すように、本発明による実施例と韓国の基準と比べて、本発明によるフィルターを通過した水は、韓国の基準に符合することに現われた。従って、有機ゲルマニウムが吸着された吸着剤とエチルセルロースによって浄水器の汚染度に影響を及ぼさないことを立証した。
【０１０１】
また、韓国の基準は、大膓菌と糞便性大腸菌群をさらに含むが、本発明は総大腸菌で韓国の基準に相応しくて大膓菌と糞便性大腸菌群を実験しなかった。
【０１０２】
また、本発明者は、有機ゲルマニウムが吸着された吸着剤とエチルセルロースを含むフィルターを含む浄水器を用いて水を通過させた時、韓国の飲水基準から健康上有害物質に規定された鉛、フッ素、砒素、セレニウム、水銀、シアン、アンモニア性窒素、６価クロム、窒酸性窒素、カドミウム及びホウ素の含量を測定した。
【０１０３】
本発明の実施例２を用いた以下の実験例９ないし１９の実験方法は、環境府告示第２００２-９１号(２００２．０６．２１改訂)の飲水水質工程試験方法による。
【０１０４】
実験例９:鉛(Ｐｄ;ｌｅａｄ)
環境府告示第２００２-９１号の飲水水質工程試験方法２-２-２-１による。
【０１０５】
実験例１０:フッ素(Ｆ;Ｆｌｕｏｒｉｄｅ)
環境府告示第２００２-９１号の飲水水質工程試験方法２-２-１-１による。
【０１０６】
実験例１１:砒素(Ａｓ;Ａｒｓｅｎｉｃ)
環境府告示第２００２-９１号の飲水水質工程試験方法２-２-２-２による。
【０１０７】
実験例１２:セレニウム(Ｓｅ;Ｓｅｌｅｎｉｕｍ)
環境府告示第２００２-９１号の飲水水質工程試験方法２-２-２-３による。
【０１０８】
実験例１３:水銀(Ｈｇ;Ｍｅｒｃｕｒｙ)
環境府告示第２００２-９１号の飲水水質工程試験方法２-２-２-４による。
【０１０９】
実験例１４:シアン(ＣＮ;Ｃｙａｎｉｄｅ)
環境府告示第２００２-９１号の飲水水質工程試験方法２-２-１-２による。
【０１１０】
実験例１５:アンモニア性窒素(ＮＨ３-Ｎ、Ａｍｍｏｎｉｕｍ−Ｎｉｔｒｏｇｅｎ)
環境府告示第２００２-９１号の飲水水質工程試験方法２-２-１-３による。
【０１１１】
実験例１６:６価クロム(Ｃｒ６+;Ｈｅｘａｃｈｒｏｍｉｕｍ)
環境府告示第２００２-９１号の飲水水質工程試験方法２-２-２-５による。
【０１１２】
実験例１７:窒酸性窒素(ＮO３-Ｎ;Ｎｉｔｒａｔｅ Ｎｉｔｒｏｇｅｎ)
環境府告示第２００２-９１号の飲水水質工程試験方法 ２-２-１-４ による。
【０１１３】
実験例１８:カドミウム(Ｃｄ;Ｃａｄｍｉｕｍ)
環境府告示第２００２-９１号の飲水水質工程試験方法 ２-２-２-６ による。
【０１１４】
実験例１９:ボロン(Ｂ;Ｂｏｒｏｎ)
環境府告示第２００２-９１号の飲水水質工程試験方法 ２-２-２-１２ 柔道結合プラズマ-原子放出法による。
【０１１５】
上記実験例９ないし１９に対する実験結果を韓国の飲水基準に適合であるかどうかの可否を以下の表４に示す。
【０１１６】
【表４】
2008238157.tif 000006
【０１１７】
上記表４に示すように、本発明は、有機ゲルマニウムを吸着させた多孔性吸着剤をコーティングしてフィルターに用いても健康上有害影響無機物質に影響を及ばず、有機ゲルマニウムを含む水を安全に飲用できることを立証した。
【０１１８】
以上、本発明は、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【０１１９】
【図１】本発明による有機ゲルマニウムを含む浄水器用フィルターの製造工程図を示した図面。
【図１】
2008238157.tif 000007